(57)【要約】【課題】利便性を損なわずに省電力化を図ることができる無線伝送システムを提供する。【解決手段】無線伝送システムは、送信装置１０及び受信装置２０を備える。送信装置１０は、受信装置２０が電源オン状態でないことを検出すると、テレビ放送受信用チューナー部１２を電源オフ状態またはスタンバイ状態にし、テレビ放送受信用チューナー部１２が電源オフ状態またはスタンバイ状態であるときに、受信装置２０が電源オン状態であることを検出すると、テレビ放送受信用チューナー部１２を電源オン状態にする。【選択図】図１
2014053698.tif 000002
【特許請求の範囲】
【請求項１】
送信装置及び受信装置を備える無線伝送システムであって、
前記送信装置は、
テレビ放送受信用チューナー部と、
前記テレビ放送受信用チューナー部から出力される映像信号及び音声信号を変調した無線信号を送信する第１の無線通信部とを備え、
前記受信装置は、
受信した前記無線信号を復調して映像信号及び音声信号を取得し、取得した映像信号及び音声信号を出力する第２の無線通信部と、
前記第２の無線通信部から出力される映像信号に基づく映像を表示するモニター部とを備え、
前記送信装置は、
前記受信装置が電源オン状態でないことを検出すると、前記テレビ放送受信用チューナー部を電源オフ状態またはスタンバイ状態にし、
前記テレビ放送受信用チューナー部が電源オフ状態またはスタンバイ状態であるときに、前記受信装置が電源オン状態であることを検出すると、前記テレビ放送受信用チューナー部を電源オン状態にすることを特徴とする無線伝送システム。
【請求項２】
プロセスＩＤ要求信号又はプロセスＩＤ信号が前記第２の無線通信部から送信され、
前記送信装置は、前記第２の無線通信部から送信されるプロセスＩＤ要求信号又はプロセスＩＤ信号に基づいて、前記受信装置が電源オン状態でないことを検出する請求項１に記載の無線伝送システム。
【請求項３】
前記送信装置は、前記第２の無線通信部から第１の一定時間毎に送信されるプロセスＩＤ要求信号を前記第１の一定時間より長い第２の一定時間受信できなかったときに、前記受信装置が電源オン状態でないことを検出する請求項２に記載の無線伝送システム。
【請求項４】
前記送信装置は、前記第１の無線通信部からの第１の一定時間毎の要求に対する返答として前記第２の無線通信部から送信されるプロセスＩＤ信号を前記第１の一定時間より長い第２の一定時間受信できなかったときに、前記受信装置が電源オン状態でないことを検出する請求項２に記載の無線伝送システム。
【請求項５】
前記受信装置が電源オン状態であることを示すコマンド信号が前記第２の無線通信部から送信され、
前記送信装置は、前記受信装置が電源オン状態であることを示すコマンド信号に基づいて、前記受信装置が電源オン状態でないことを検出する請求項１に記載の無線伝送システム。
【請求項６】
前記受信装置が電源オン状態であることを示すコマンド信号を第１の一定時間毎に前記第２の無線通信部が送信し、
前記送信装置は、前記受信装置が電源オン状態であることを示すコマンド信号を前記第１の一定時間より長い第２の一定時間受信できなかったときに、前記受信装置が電源オン状態でないことを検出する請求項５に記載の無線伝送システム。
【請求項７】
送信装置及び受信装置を備える無線伝送システムであって、
前記送信装置は、
テレビ放送受信用チューナー部と、
前記テレビ放送受信用チューナー部から出力される映像信号及び音声信号を変調した無線信号を送信する第１の無線通信部とを備え、ビーコン信号を受信する無線クライアントであり、
前記受信装置は、
受信した前記無線信号を復調して映像信号及び音声信号を取得し、取得した映像信号及び音声信号を出力する第２の無線通信部と、
前記第２の無線通信部から出力される映像信号に基づく映像を表示するモニター部とを備え、前記ビーコン信号を定期的に送信する無線アクセスポイントであることを特徴とする無線伝送システム。
【発明の詳細な説明】
【技術分野】
【０００１】
本発明は、テレビ放送受信用チューナー部を有する送信装置と、モニター部を有する受信装置とを備える無線伝送システムに関する。
【背景技術】
【０００２】
テレビ放送受信用チューナー部を有する送信装置と、モニター部を有する受信装置とを備える無線伝送システムが従来から知られている。このような無線伝送システムによると、送信装置と受信装置との無線通信が可能な範囲内であれば、使用者は受信装置を好きな場所に持ち運ぶことができ、好きな場所でテレビ番組を視聴することができる。
【０００３】
したがって、テレビ番組の視聴時に受信装置は使用者の手元にあるのに対して送信装置の設置場所は使用者のいる所から離れた場所（例えば使用者のいる所とは別の部屋など）や容易に操作ができない場所（例えば家屋の屋根裏など）になることがある。このため、受信装置に対する操作には手間がかからないが、送信装置に対する操作は手間がかかり、送信装置が無駄な電力を消費することを防ぐ操作を使用者が送信機に対して適宜行うことは期待できない。
【先行技術文献】
【特許文献】
【０００４】
【特許文献１】特開２００９−１７１１８１号公報
【発明の概要】
【発明が解決しようとする課題】
【０００５】
特許文献１で開示されている無線伝送システム（特許文献１では「無線通信装置内蔵テレビジョン受像機」と呼ばれている。）は、受信装置（特許文献１では「モニタ部」と呼ばれている。）の主電源がオフされたときに、連動して送信装置（特許文献１では「チューナ部」と呼ばれている。）全体の電源をオフすることで省電力化を図っている。
【０００６】
しかしながら、送信装置全体の電源が一旦オフになると、その後受信装置の主電源をオンにしても受信装置と送信装置との無線通信ができない状態になり、使用者が送信装置の設置場所にわざわざ赴いて送信装置の電源をオンにしなければ、再びテレビ番組を視聴することができず不便であった。
【０００７】
本発明は、上記の状況に鑑み、利便性を損なわずに省電力化を図ることができる無線伝送システムを提供することを目的とする。
【課題を解決するための手段】
【０００８】
上記目的を達成するために本発明の一局面に係る無線伝送システムは、送信装置及び受信装置を備える無線伝送システムであって、前記送信装置は、テレビ放送受信用チューナー部と、前記テレビ放送受信用チューナー部から出力される映像信号及び音声信号を変調した無線信号を送信する第１の無線通信部とを備え、前記受信装置は、受信した前記無線信号を復調して映像信号及び音声信号を取得し、取得した映像信号及び音声信号を出力する第２の無線通信部と、前記第２の無線通信部から出力される映像信号に基づく映像を表示するモニター部とを備え、前記送信装置は、前記受信装置が電源オン状態でないことを検出すると、前記テレビ放送受信用チューナー部を電源オフ状態またはスタンバイ状態にし、前記テレビ放送受信用チューナー部が電源オフ状態またはスタンバイ状態であるときに、前記受信装置が電源オン状態であることを検出すると、前記テレビ放送受信用チューナー部を電源オン状態にする構成（第１の構成）とする。
【０００９】
このような構成によると、前記受信装置が電源オン状態でないことが検出されると、前記テレビ放送受信用チューナー部が電源オフ状態またはスタンバイ状態になるので、前記テレビ放送受信用チューナー部の消費電力を削減することができ、省電力化を図ることができる。また、このような構成によると、前記テレビ放送受信用チューナー部が電源オフ状態またはスタンバイ状態であるときに、前記受信装置が電源オン状態であることが検出されると、前記テレビ放送受信用チューナー部が電源オン状態になるので、前記テレビ放送受信用チューナー部を電源オン状態にするための操作を前記送信装置に対して行うために使用者が前記送信装置の設置場所にわざわざ赴く必要がなくなる。したがって、利便性を損なわずに省電力化を図ることができる。
【００１０】
また、上記第１の構成の無線伝送システムにおいて、プロセスＩＤ要求信号又はプロセスＩＤ信号が前記第２の無線通信部から送信され、前記送信装置は、前記第２の無線通信部から送信されるプロセスＩＤ要求信号又はプロセスＩＤ信号に基づいて、前記受信装置が電源オン状態でないことを検出する構成（第２の構成）としてもよい。
【００１１】
このような構成によると、一般的な無線通信プロトコルで用いられているプロセスＩＤ要求信号やプロセスＩＤ信号に基づいて、前記受信装置が電源オン状態でないことが検出される。したがって、前記受信装置が電源オン状態でないことを検出するために特別な信号を用いなくてすむ。
【００１２】
さらに、上記第２の構成の無線伝送システムにおいて、前記送信装置は、前記第２の無線通信部から第１の一定時間毎に送信されるプロセスＩＤ要求信号を前記第１の一定時間より長い第２の一定時間受信できなかったときに、前記受信装置が電源オン状態でないことを検出する構成（第３の構成）としてもよく、前記送信装置は、前記第１の無線通信部からの第１の一定時間毎の要求に対する返答として前記第２の無線通信部から送信されるプロセスＩＤ信号を前記第１の一定時間より長い第２の一定時間受信できなかったときに、前記受信装置が電源オン状態でないことを検出する構成（第４の構成）としてもよい。
【００１３】
このような構成によると、前記第２の一定時間を前記第１の一定時間よりも長く設定しているので、前記テレビ放送受信用チューナー部が過度に電源オフ状態またはスタンバイ状態になることを防止することができる。
【００１４】
また、上記第１の構成の無線伝送システムにおいて、前記受信装置が電源オン状態であることを示すコマンド信号が前記第２の無線通信部から送信され、前記送信装置は、前記受信装置が電源オン状態であることを示すコマンド信号に基づいて、前記受信装置が電源オン状態でないことを検出する構成（第５の構成）としてもよい。
【００１５】
さらに、上記第５の構成の無線伝送システムにおいて、前記受信装置が電源オン状態であることを示すコマンド信号を第１の一定時間毎に前記第２の無線通信部が送信し、前記送信装置は、前記受信装置が電源オン状態であることを示すコマンド信号を前記第１の一定時間より長い第２の一定時間受信できなかったときに、前記受信装置が電源オン状態でないことを検出する構成（第６の構成）としてもよい。
【００１６】
このような構成によると、前記第２の一定時間を前記第１の一定時間よりも長く設定しているので、前記テレビ放送受信用チューナー部が過度に電源オフ状態またはスタンバイ状態になることを防止することができる。
【００１７】
上記目的を達成するために本発明の他の局面に係る無線伝送システムは、送信装置及び受信装置を備える無線伝送システムであって、前記送信装置は、テレビ放送受信用チューナー部と、前記テレビ放送受信用チューナー部から出力される映像信号及び音声信号を変調した無線信号を送信する第１の無線通信部とを備え、ビーコン信号を受信する無線クライアントであり、前記受信装置は、受信した前記無線信号を復調して映像信号及び音声信号を取得し、取得した映像信号及び音声信号を出力する第２の無線通信部と、前記第２の無線通信部から出力される映像信号に基づく映像を表示するモニター部とを備え、前記ビーコン信号を定期的に送信する無線アクセスポイントである構成（第７の構成）とする。
【００１８】
このような構成によると、前記受信装置が電源オン状態であるときにのみ前記ビーコン信号が放射される無線通信システムになるので、前記ビーコン信号の無駄な放射がなくなり、省電力化を図ることができる。また、このような構成によると、前記受信装置が電源オン状態であるときには前記ビーコン信号が放射されるので、前記受信装置が電源オン状態であるときの無線接続に支障をきたさない。したがって、利便性を損なわずに省電力化を図ることができる。
【発明の効果】
【００１９】
本発明によると、利便性を損なわずに省電力化を図ることができる無線伝送システムを実現することができる。
【図面の簡単な説明】
【００２０】
【図１】本発明に係る無線伝送システムの一構成例を示す図である。
【図２】第１実施形態に係る動作を示すフローチャートである。
【図３】第２実施形態に係る動作を示すフローチャートである。
【図４】第３実施形態に係る動作を示すフローチャートである。
【発明を実施するための形態】
【００２１】
本発明の実施形態について図面を参照して以下に説明する。図１は、本発明に係る無線伝送システムの一構成例を示す図である。なお、図が煩雑になることを避けるため、図１では電源回路２７から各部に電力を供給するための電源ラインの図示を省略している。図１に示す無線信号伝送システムは、送信装置１０と、受信装置２０とを備えている。
【００２２】
まず、送信装置１０について説明する。送信装置１０は、分配器１１と、テレビ放送受信用チューナー部１２と、無線通信部１３と、制御部１４と、電源回路１５とを備えている。
【００２３】
分配器１１は、地上デジタルテレビ放送信号や衛星デジタルテレビ放送信号等のテレビ放送信号を二分配し、一方を外部に出力し、他方をテレビ放送受信用チューナー部１２に出力する。
【００２４】
テレビ放送受信用チューナー部１２は、分配器１１から出力されたテレビ放送信号に対して選局処理を施して、受信チャンネルの映像信号及び音声信号を取得し、取得した映像信号及び音声信号を無線通信部１３に出力する。テレビ放送受信用チューナー部１２から出力される映像信号及び音声信号はどのような形式の信号であってもよく、例えばアナログ信号、デジタル信号のどちらでもよく、圧縮信号、非圧縮信号のどちらでもよい。したがって、必要に応じて、選局処理後に所定の信号処理を実行する信号処理回路をテレビ放送受信用チューナー部１２内に設けるようにすればよい。
【００２５】
テレビ放送受信用チューナー部１２は、電源回路１２Ａを内蔵している。電源回路１２Ａは、電源回路１５から供給されるＤＣ電圧を用いてテレビ放送受信用チューナー部１２を動作させるために必要な電源電圧を生成する。
【００２６】
テレビ放送受信用チューナー部１２は、映像信号及び音声信号の出力が可能な電源オン状態と、映像信号及び音声信号の出力が不可能である電源オフ状態と、消費電力が電源オン状態よりも少なくて電源オフ状態よりも多く、映像信号及び音声信号の出力が不可能であって、電源オン状態へ切り替わる際の移行時間が電源オフ状態よりも短いスタンバイ状態との３つの状態をとることができる。なお、本構成例とは異なり、電源オン状態と電源オフ状態の２つの状態しかとることができないテレビ放送受信用チューナー部を用いても構わない。
【００２７】
無線通信部１３は、テレビ放送受信用チューナー部１２から出力される映像信号及び音声信号を変調した無線信号を送信する。変調方式及び無線信号の周波数帯は特に限定されないが、例えばＩＥＥＥ８０２．１１ａ、ＩＥＥＥ８０２．１１ｇ、ＩＥＥＥ８０２．１１ｂ等に準拠した変調方式及び無線信号の周波数帯を用いることができる。無線通信部１３は、電源回路１３Ａを内蔵している。電源回路１３Ａは、電源回路１５から供給されるＤＣ電圧を用いて無線通信部１３を動作させるために必要な電源電圧を生成する。
【００２８】
制御部１４は、テレビ放送受信用チューナー部１２の動作及び無線通信部１３の動作を制御する。制御部１４は、電源回路１５から供給されるＤＣ電圧を制御部１４自身の電源電圧として利用する。
【００２９】
電源回路１５は、外部から供給される商用ＡＣ電圧を所定値のＤＣ電圧に変換して、電源回路１２Ａ、電源回路１３Ａ、及び制御部１４に供給する。
【００３０】
次に、受信装置２０について説明する。受信装置２０は、無線通信部２１と、液晶モニター部２２と、音声出力部２３と、制御部２４と、リモコン受信部２５と、バッテリー２６と、電源回路２７とを備えている。
【００３１】
無線通信部２１は、受信した無線信号を復調して映像信号及び音声信号を取得し、取得した映像信号及び音声信号を出力する。無線通信部２１は、電源回路２１Ａを内蔵している。電源回路２１Ａは、電源回路２７から供給されるＤＣ電圧を用いて無線通信部２１を動作させるために必要な電源電圧を生成する。なお、必要に応じて、無線通信部２１から出力される映像信号に対して所定の信号処理を施す信号処理回路を無線通信部２１と液晶モニター部２２との間に設け、無線通信部２１から出力される音声信号に対して所定の信号処理を施す信号処理回路を無線通信部２１と音声出力部２３との間に設けるようにすればよい。
【００３２】
液晶モニター部２２は、無線通信部２１から出力される映像信号に基づく映像を表示する。液晶モニター部２２は、電源回路２２Ａを内蔵している。電源回路２２Ａは、電源回路２７から供給されるＤＣ電圧を用いて液晶モニター部２２を動作させるために必要な電源電圧を生成する。
【００３３】
音声出力部２３は、例えばアンプとスピーカとによって構成され、電源回路２７から供給されるＤＣ電圧を音声出力部２３自身の電源電圧として利用し、無線通信部２１から出力される音声信号に基づく音声を出力する。
【００３４】
制御部２４は、リモコン受信部２５から出力されるリモコンコード信号等に基づいて、無線通信部２１の動作、液晶モニター部２２の動作、及び音声出力部２３の動作を制御する。制御部２４は、電源回路２７から供給されるＤＣ電圧を制御部２４自身の電源電圧として利用する。
【００３５】
リモコン受信部２５は不図示のリモートコントローラから送信される赤外線リモコン信号を受信し、受信した赤外線リモコン信号に対応するリモコンコード信号を制御部２４に出力する。
【００３６】
電源回路２７は、バッテリー２６から出力されるＤＣ電圧を所定値のＤＣ電圧に変換して受信装置２０の各部に供給する。
【００３７】
受信装置２０は、全ての動作が可能な電源オン状態と、全ての動作が不可能な電源オフ状態と、消費電力が電源オン状態よりも少なくて電源オフ状態よりも多く、赤外線リモコン信号の受付のみが可能であるスタンバイ状態との３つの状態をとることができる。例えば、受信装置２０の電源オン状態とスタンバイ状態との切り替えは、不図示のリモートコントローラに電源キーを設け電源キーの操作によって行えるようにし、受信装置２０の電源オン状態と電源オフ状態との切り替えは、受信装置２０に主電源スイッチを設け、主電源スイッチの操作によって行えるようにすればよい。なお、本構成例とは異なり、電源オン状態と電源オフ状態の２つの状態しかとることができない受信装置、あるいは、電源オン状態とスタンバイ状態の２つの状態しかとることができない受信装置を用いても構わない。
【００３８】
＜第１実施形態＞
次に、図１に示す無線信号伝送システムの第１実施形態にかかる動作を図２のフローチャートを参照しながら説明する。
【００３９】
送信装置１０全体が電源オン状態であってテレビ放送受信用チューナー部１２も電源オン状態であって、受信装置２０も電源オン状態であって、送信装置１０と受信装置２０とが無線接続されている状態から図２に示すフロー動作が開始される。
【００４０】
受信装置２０が電源オン状態であって送信装置１０と受信装置２０との無線接続が切断されていない限り、受信装置２０はプロセスＩＤ要求信号を第１の一定時間毎に送信する（ステップＳ１０）。ステップＳ１０の処理は、他のステップの処理が実行されている最中も並列して続行される。
【００４１】
制御部１４は、送信装置１０の無線通信部１３がプロセスＩＤ要求信号を受信したか否かを判定する（ステップＳ１１）。
【００４２】
送信装置１０の無線通信部１３がプロセスＩＤ要求信号を受信したと判定された場合（ステップＳ１１のＹＥＳ）、制御部１４は、プロセスＩＤ要求信号に返答して、送信装置１０のプロセス状態を示すプロセスＩＤ信号を無線通信部１３に送信させるとともに、テレビ放送受信用チューナー部１２を電源オン状態に維持し（ステップＳ１２）、ステップＳ１１に戻る。
【００４３】
一方、送信装置１０の無線通信部１３がプロセスＩＤ要求信号を受信していないと判定された場合（ステップＳ１１のＮＯ）、制御部１４は、プロセスＩＤ要求信号を受信できていない時間が上記第１の一定時間よりも長く設定されている第２の一定時間以上であるか否かを判定する（ステップＳ１３）。
【００４４】
プロセスＩＤ要求信号を受信できていない時間が上記第２の一定時間以上である場合（ステップＳ１３のＹＥＳ）、制御部１４は、受信装置２０が電源オン状態でないことを検出したと判断し、テレビ放送受信用チューナー部１２をスタンバイ状態にする（ステップＳ１４）。これにより、テレビ放送受信用チューナー部１２からの映像信号出力及び音声信号出力が停止され、テレビ放送受信用チューナー部１２で無駄な電力が消費されることを防ぐことができる。
【００４５】
なお、受信装置２０が電源オン状態であっても例えば受信装置２０が移動して送信装置１０との無線通信が可能な範囲から出てしまっている場合などには、プロセスＩＤ要求信号を受信できていない時間が上記第２の一定時間以上となり得る。したがって、ステップＳ１４における受信装置２０が電源オン状態でないことを検出したとの判断は必ず正しいとは限らない。しかしながら、たとえ誤った判断であっても、送信装置１０と受信装置２０との無線通信が不可能な場合も受信装置２０が電源オン状態でない場合と同様に、テレビ放送受信用チューナー部１２からの映像信号出力及び音声信号出力が無駄になるので、テレビ放送受信用チューナー部１２からの映像信号出力及び音声信号出力を停止することで、テレビ放送受信用チューナー部１２で無駄な電力が消費されることを防止することができる。
【００４６】
一方、プロセスＩＤ要求信号を受信できていない時間が上記第２の一定時間以上でない場合（ステップＳ１３のＮＯ）、制御部１４は、テレビ放送受信用チューナー部１２をスタンバイ状態にすることなく、ステップＳ１１に戻る。これにより、テレビ放送受信用チューナー部１２が過度にスタンバイ状態になることを防止することができる。
【００４７】
ステップＳ１４の処理によってテレビ放送受信用チューナー部１２がスタンバイ状態になった後、電源オン状態である受信装置２０が送信装置１０との無線通信が可能な範囲内に入った場合、又は、送信装置１０との無線通信が可能な範囲内で受信装置２０がスタンバイ状態から電源オン状態に切り替わった場合、テレビ放送受信用チューナー部１２を電源オン状態に切り替えることで、再びテレビ番組を視聴することができるようになる。そこで、本実施形態では、ステップＳ１４の処理後に、制御部１４は、送信装置１０の無線通信部１３がプロセスＩＤ要求信号を受信したか否かを判定する（ステップＳ１５）。送信装置１０の無線通信部１３がプロセスＩＤ要求信号を受信していない場合（ステップＳ１５のＮＯ）、制御部１４は、テレビ放送受信用チューナー部１２をスタンバイ状態に維持し（ステップＳ１６）、ステップＳ１５に戻る。
【００４８】
一方、送信装置１０の無線通信部１３がプロセスＩＤ要求信号を受信した場合（ステップＳ１５のＹＥＳ）、制御部１４は、受信装置２０が電源オン状態であることを検出したと判断し、制御部１４は、プロセスＩＤ要求信号に返答して、送信装置１０のプロセス状態を示すプロセスＩＤ信号を無線通信部１３に送信させるとともに、テレビ放送受信用チューナー部１２を電源オン状態に変更し（ステップＳ１７）、ステップＳ１１に戻る。これにより、テレビ放送受信用チューナー部１２をスタンバイ状態から電源オン状態に変更するための操作を送信装置１０に対して行うために使用者が送信装置１０の設置場所にわざわざ赴く必要がなくなる。したがって、利便性を損なわずに省電力化を図ることができる。
【００４９】
また、本実施形態にかかる動作では、一般的な無線通信プロトコルで用いられているプロセスＩＤ要求信号に基づいて、受信装置２０が電源オン状態でないことを検出している。したがって、受信装置２０が電源オン状態でないことを検出するために特別な信号を用いなくてすむ。
【００５０】
＜第２実施形態＞
次に、図１に示す無線信号伝送システムの第２実施形態にかかる動作を図３のフローチャートを参照しながら説明する。
【００５１】
送信装置１０全体が電源オン状態であってテレビ放送受信用チューナー部１２も電源オン状態であって、受信装置２０も電源オン状態であって、送信装置１０と受信装置２０とが無線接続されている状態から図３に示すフロー動作が開始される。
【００５２】
受信装置２０が電源オン状態であって送信装置１０と受信装置２０との無線接続が切断されていない限り、受信装置２０は受信装置２０自身が電源オン状態であることを示すコマンド信号を第１の一定時間毎に送信する（ステップＳ２０）。ステップＳ２０の処理は、他のステップの処理が実行されている最中も並列して続行される。
【００５３】
制御部１４は、送信装置１０の無線通信部１３がコマンド信号を受信したか否かを判定する（ステップＳ２１）。
【００５４】
送信装置１０の無線通信部１３がコマンド信号を受信したと判定された場合（ステップＳ２１のＹＥＳ）、制御部１４は、テレビ放送受信用チューナー部１２を電源オン状態に維持し（ステップＳ２２）、ステップＳ２１に戻る。
【００５５】
一方、送信装置１０の無線通信部１３がコマンド信号を受信していないと判定された場合（ステップＳ１１のＮＯ）、制御部１４は、コマンド信号を受信できていない時間が上記第１の一定時間よりも長く設定されている第２の一定時間以上であるか否かを判定する（ステップＳ２３）。
【００５６】
コマンド信号を受信できていない時間が上記第２の一定時間以上である場合（ステップＳ２３のＹＥＳ）、制御部１４は、受信装置２０が電源オン状態でないことを検出したと判断し、テレビ放送受信用チューナー部１２をスタンバイ状態にする（ステップＳ２４）。これにより、テレビ放送受信用チューナー部１２からの映像信号出力及び音声信号出力が停止され、テレビ放送受信用チューナー部１２で無駄な電力が消費されることを防ぐことができる。
【００５７】
なお、受信装置２０が電源オン状態であっても例えば受信装置２０が移動して送信装置１０との無線通信が可能な範囲から出てしまっている場合などには、コマンド信号を受信できていない時間が上記第２の一定時間以上となり得る。したがって、ステップＳ２４における受信装置２０が電源オン状態でないことを検出したとの判断は必ず正しいとは限らない。しかしながら、たとえ誤った判断であっても、送信装置１０と受信装置２０との無線通信が不可能な場合も受信装置２０が電源オン状態でない場合と同様に、テレビ放送受信用チューナー部１２からの映像信号出力及び音声信号出力が無駄になるので、テレビ放送受信用チューナー部１２からの映像信号出力及び音声信号出力を停止することで、テレビ放送受信用チューナー部１２で無駄な電力が消費されることを防止することができる。
【００５８】
一方、コマンド信号を受信できていない時間が上記第２の一定時間以上でない場合（ステップＳ２３のＮＯ）、制御部１４は、テレビ放送受信用チューナー部１２をスタンバイ状態にすることなく、ステップＳ２１に戻る。これにより、テレビ放送受信用チューナー部１２が過度にスタンバイ状態になることを防止することができる。
【００５９】
ステップＳ２４の処理によってテレビ放送受信用チューナー部１２がスタンバイ状態になった後、電源オン状態である受信装置２０が送信装置１０との無線通信が可能な範囲内に入った場合、又は、送信装置１０との無線通信が可能な範囲内で受信装置２０がスタンバイ状態から電源オン状態に切り替わった場合、テレビ放送受信用チューナー部１２を電源オン状態に切り替えることで、再びテレビ番組を視聴することができるようになる。そこで、本実施形態では、ステップＳ２４の処理後に、制御部１４は、送信装置１０の無線通信部１３がコマンド信号を受信したか否かを判定する（ステップＳ２５）。送信装置１０の無線通信部１３がコマンド信号を受信していない場合（ステップＳ２５のＮＯ）、制御部１４は、テレビ放送受信用チューナー部１２をスタンバイ状態に維持し（ステップＳ２６）、ステップＳ２５に戻る。
【００６０】
一方、送信装置１０の無線通信部１３がコマンド信号を受信した場合（ステップＳ２５のＹＥＳ）、制御部１４は、受信装置２０が電源オン状態であることを検出したと判断し、制御部１４は、テレビ放送受信用チューナー部１２を電源オン状態に変更し（ステップＳ２７）、ステップＳ２１に戻る。これにより、テレビ放送受信用チューナー部１２をスタンバイ状態から電源オン状態に変更するための操作を送信装置１０に対して行うために使用者が送信装置１０の設置場所にわざわざ赴く必要がなくなる。したがって、利便性を損なわずに省電力化を図ることができる。
【００６１】
＜第３実施形態＞
次に、図１に示す無線信号伝送システムの第３実施形態にかかる動作を図４のフローチャートを参照しながら説明する。
【００６２】
送信装置１０全体が電源オン状態であってテレビ放送受信用チューナー部１２も電源オン状態であって、受信装置２０も電源オン状態であって、送信装置１０と受信装置２０とが無線接続されている状態から図４に示すフロー動作が開始される。
【００６３】
送信装置１０が電源オン状態であって送信装置１０と受信装置２０との無線接続が切断されていない限り、送信装置１０はプロセスＩＤ要求信号を第１の一定時間毎に送信し（ステップＳ３０）、受信装置２０はプロセスＩＤ要求信号に返答して、受信装置２０のプロセス状態を示すプロセスＩＤ信号を送信する（ステップＳ３１）。ステップＳ３０の処理及びステップＳ３１の処理は、他のステップの処理が実行されている最中も並列して続行される。
【００６４】
制御部１４は、送信装置１０の無線通信部１３がプロセスＩＤ信号を受信したか否かを判定する（ステップＳ３２）。
【００６５】
送信装置１０の無線通信部１３がプロセスＩＤ信号を受信したと判定された場合（ステップＳ３２のＹＥＳ）、制御部１４は、テレビ放送受信用チューナー部１２を電源オン状態に維持し（ステップＳ３３）、ステップＳ３２に戻る。
【００６６】
一方、送信装置１０の無線通信部１３がプロセスＩＤ信号を受信していないと判定された場合（ステップＳ３２のＮＯ）、制御部１４は、プロセスＩＤ信号を受信できていない時間が上記第１の一定時間よりも長く設定されている第２の一定時間以上であるか否かを判定する（ステップＳ３４）。
【００６７】
プロセスＩＤ信号を受信できていない時間が上記第２の一定時間以上である場合（ステップＳ３４のＹＥＳ）、制御部１４は、受信装置２０が電源オン状態でないことを検出したと判断し、テレビ放送受信用チューナー部１２をスタンバイ状態にする（ステップＳ３５）。これにより、テレビ放送受信用チューナー部１２からの映像信号出力及び音声信号出力が停止され、テレビ放送受信用チューナー部１２で無駄な電力が消費されることを防ぐことができる。
【００６８】
なお、受信装置２０が電源オン状態であっても例えば受信装置２０が移動して送信装置１０との無線通信が可能な範囲から出てしまっている場合などには、プロセスＩＤ信号を受信できていない時間が上記第２の一定時間以上となり得る。したがって、ステップＳ３５における受信装置２０が電源オン状態でないことを検出したとの判断は必ず正しいとは限らない。しかしながら、たとえ誤った判断であっても、送信装置１０と受信装置２０との無線通信が不可能な場合も受信装置２０が電源オン状態でない場合と同様に、テレビ放送受信用チューナー部１２からの映像信号出力及び音声信号出力が無駄になるので、テレビ放送受信用チューナー部１２からの映像信号出力及び音声信号出力を停止することで、テレビ放送受信用チューナー部１２で無駄な電力が消費されることを防止することができる。
【００６９】
一方、プロセスＩＤ信号を受信できていない時間が上記第２の一定時間以上でない場合（ステップＳ３４のＮＯ）、制御部１４は、テレビ放送受信用チューナー部１２をスタンバイ状態にすることなく、ステップＳ３２に戻る。これにより、テレビ放送受信用チューナー部１２が過度にスタンバイ状態になることを防止することができる。
【００７０】
ステップＳ３５の処理によってテレビ放送受信用チューナー部１２がスタンバイ状態になった後、電源オン状態である受信装置２０が送信装置１０との無線通信が可能な範囲内に入った場合、又は、送信装置１０との無線通信が可能な範囲内で受信装置２０がスタンバイ状態から電源オン状態に切り替わった場合、テレビ放送受信用チューナー部１２を電源オン状態に切り替えることで、再びテレビ番組を視聴することができるようになる。そこで、本実施形態では、ステップＳ３５の処理後に、制御部１４は、送信装置１０の無線通信部１３がプロセスＩＤ信号を受信したか否かを判定する（ステップＳ３６）。送信装置１０の無線通信部１３がプロセスＩＤ信号を受信していない場合（ステップＳ３６のＮＯ）、制御部１４は、テレビ放送受信用チューナー部１２をスタンバイ状態に維持し（ステップＳ３７）、ステップＳ３６に戻る。
【００７１】
一方、送信装置１０の無線通信部１３がプロセスＩＤ信号を受信した場合（ステップＳ３６のＹＥＳ）、制御部１４は、受信装置２０が電源オン状態であることを検出したと判断し、制御部１４は、テレビ放送受信用チューナー部１２を電源オン状態に変更し（ステップＳ３８）、ステップＳ３２に戻る。これにより、テレビ放送受信用チューナー部１２をスタンバイ状態から電源オン状態に変更するための操作を送信装置１０に対して行うために使用者が送信装置１０の設置場所にわざわざ赴く必要がなくなる。したがって、利便性を損なわずに省電力化を図ることができる。
【００７２】
また、本実施形態にかかる動作では、一般的な無線通信プロトコルで用いられているプロセスＩＤ信号に基づいて、受信装置２０が電源オン状態でないことを検出している。したがって、受信装置２０が電源オン状態でないことを検出するために特別な信号を用いなくてすむ。
【００７３】
＜第４実施形態＞
図１に示す無線伝送システムでは、送信装置１０がソース機器であり、受信装置２０がシンク機器である。従来の無線伝送システムでは、ソース機器を無線アクセスポイントとし、シンク機器を無線クライアントとしているが、本実施形態では、送信装置１０を無線クライアントとし、受信装置２０を無線アクセスポイントとしている。
【００７４】
したがって、本実施形態では、受信装置２０の無線通信部２１がビーコン信号を定期的に送信し、送信装置１０の無線通信部１３がビーコン信号を受信する。
【００７５】
従来の無線伝送システムのように送信装置１０を無線アクセスポイントとし、受信装置２０を無線クライアントとした場合、受信装置２０がいつ電源オン状態になるか送信装置１０側では分からないため、受信装置２０が電源オン状態になったときに備えて送信装置１０が常時ビーコン信号を定期的に放射し続ける必要がある。
【００７６】
これに対して、本実施形態のように送信装置１０を無線クライアントとし、受信装置２０を無線アクセスポイントとすれば、受信装置２０が電源オン状態であるときにのみビーコン信号が放射される無線通信システムになるので、ビーコン信号の無駄な放射がなくなり、省電力化を図ることができる。また、受信装置２０が電源オン状態であるときにはビーコン信号が放射されるので、受信装置２０が電源オン状態であるときの送信装置１０と受信装置２０との無線接続に支障をきたさない。したがって、利便性を損なわずに省電力化を図ることができる。
【００７７】
＜その他＞
第１〜第３実施形態と第４実施形態とは組み合わせて実施することができる。なお、一般的な無線通信プロトコルでは、第１実施形態の場合は送信装置１０が無線クライアントとなり、受信装置２０が無線アクセスポイントとなり、第３実施形態の場合は送信装置１０が無線アクセスポイントとなり、受信装置２０が無線クライアントとなる。したがって、第１実施形態と第４実施形態との組み合わせが好ましい。
【００７８】
また、図２のステップＳ１４及びステップ１６、図３のステップＳ２４及びステップＳ２６、図４のステップＳ３５及びステップＳ３７において、スタンバイ状態の代わりに電源オフ状態にしてもよい。
【符号の説明】
【００７９】
１０  送信装置
１１  分配器
１２  テレビ放送受信用チューナー部
１２Ａ、１３Ａ、１５  ２１Ａ、２２Ａ、２７  電源回路
１３、２１  無線通信部
１４、２４  制御部
２０  受信装置
２２  液晶モニター部
２３  音声出力部
２５  リモコン受信部
２６  バッテリー
【図１】
2014053698.tif 000003
【図２】
2014053698.tif 000004
【図３】
2014053698.tif 000005
【図４】
2014053698.tif 000006